(57)【要約】【課題】  プリンタドライバのインストールを効率的に実行することできるインストールシステムを提供する。【解決手段】  初回印刷情報取得部２１ｂがプリンタ３による初回印刷処理が完了したことを検知すると、ドライバ情報取得部２１ｃが該プリンタ３のプリンタドライバのＵＲＬを取得するとともに、アドレス情報取得部２１ａがネットワーク上のプリンタ３が保持する処理履歴情報を取得する。初回印刷通知部２１ｄは、取得された処理履歴情報に含まれるクライアント端末１のメールアドレスに、前記ＵＲＬを含む文書を付した電子メールを送信し、当該プリンタ３による初回印刷の完了を通知する。【選択図】        図１
2007086937.tif 000002
【特許請求の範囲】
【請求項１】
ネットワークに接続された印刷装置のドライバプログラムの所在地情報を記憶する記憶手段と、
ネットワークに接続された印刷指示装置のアドレス情報を取得する取得手段と、
前記印刷装置が印刷可能になったか否かを判断する判断手段と、
該印刷装置が印刷可能になったと前記判断手段が判断した場合に、前記取得手段が取得した前記アドレス情報に基づいて該所在地情報を前記印刷指示装置に通知する通知手段と、
を有することを特徴とするドライバプログラムのインストールシステム。
【請求項２】
請求項１に記載のドライバプログラムのインストールシステムであって、
前記判断手段は、
前記印刷装置による初回印刷処理が正常に完了した場合に、該印刷装置が印刷可能になったと判断することを特徴とするドライバプログラムのインストールシステム。
【請求項３】
請求項２に記載のドライバプログラムのインストールシステムであって、
前記アドレス情報は、
前記印刷装置を用いて印刷処理を実行した印刷指示装置のメールアドレスを含む処理履歴情報であることを特徴とするドライバプログラムのインストールシステム。
【請求項４】
請求項３に記載のドライバプログラムのインストールシステムであって、
前記通知手段は、
ユーザにより選択された印刷指示装置に前記所在地情報を通知することを特徴とするドライバプログラムのインストールシステム。
【請求項５】
請求項１に記載のドライバプログラムのインストールシステムは、
前記印刷装置に構成されていることを特徴とするドライバプログラムのインストールシステム。
【発明の詳細な説明】
【技術分野】
【０００１】
本発明は、プリンタドライバのインストールシステムに関する。
【背景技術】
【０００２】
ネットワーク上に存在するプリンタのドライバインストールを簡易化する方法として、例えば特許文献１に、プリンタの初期化のタイミングでクライアントコンピュータにドライバを送信して、取得したクライアントコンピュータがインストールを実行する方法が開示されている。また特許文献２には、サーバからドライバインストール関連情報を電子メールでクライアントコンピュータに送信する方法が提供されている。
【特許文献１】特開２０００−２１５１４５号公報
【特許文献２】特開２０００−２１５１２８号公報
【発明の開示】
【発明が解決しようとする課題】
【０００３】
しかしながら、上記従来のインストール方法では、プリンタドライバをインストールする必要のないユーザにまで電子メールが送信される可能性があったため、ユーザに無用な混乱を招いたり、ネットワークリソースを効率的に使用できない、という問題点があった。
【０００４】
本発明は、こうした実情に鑑みてなされたもので、ユーザの無用な操作を軽減し、システムリソースを効率的に使用することができるプリンタドライバのインストールシステムを提供することを、その目的の一つとする。
【課題を解決するための手段】
【０００５】
上記従来例の問題点を解決するための本発明に係るドライバプログラムのインストールシステムは、ネットワークに接続された印刷装置のドライバプログラムの所在地情報を記憶する記憶手段と、ネットワークに接続された印刷指示装置のアドレス情報を取得する取得手段と、前記印刷装置が印刷可能になったか否かを判断する判断手段と、該印刷装置が印刷可能になったと前記判断手段が判断した場合に、前記取得手段が取得した前記アドレス情報に基づいて該所在地情報を前記印刷指示装置に通知する通知手段とを有することを特徴とするドライバプログラムのインストールシステムである。ここで、前記判断手段は、前記印刷装置による初回印刷処理が正常に完了した場合に、該印刷装置が印刷可能になったと判断することを特徴とする。また前記アドレス情報は、前記印刷装置を用いて印刷処理を実行した印刷指示装置のメールアドレスを含む処理履歴情報であることを特徴とする。さらに前記通知手段は、ユーザにより選択された印刷指示装置に前記所在地情報を通知することを特徴とする。
【０００６】
また、本発明に係るドライバプログラムのインストールシステムは、前記印刷装置に構成されていてもよい。
【発明を実施するための最良の形態】
【０００７】
本発明の実施の一形様について図面を参照しながら説明する。本発明の実施の形態に係るインストールシステムは、図１に示すように、印刷指示装置としてのクライアント端末１と、情報管理端末２と、印刷装置としてのプリンタ３を含んで構成される。印刷装置としては、プリンタだけでなく複合機などであってもよい。
【０００８】
クライアント端末１は、一般的なコンピュータであり、図２に示すような、制御部１１と、記憶部１２と、ハードディスク１３と、表示部１４と、操作部１５と、インターフェイス１６とを含んで構成される。
【０００９】
ここで、制御部１１は、記憶部１２やハードディスク１３に格納されているプログラムに従って動作しており、印刷指示をプリンタ３に送信する。
【００１０】
記憶部１２は、ＲＡＭなどの記憶素子を含んで構成される。制御部１１によって実行されるプログラムをハードディスク１３から読み出して保持する。またこの記憶部１２は制御部１１が生成する情報を保持するワークメモリとしても動作する。
【００１１】
ハードディスク１３は、制御部１１によって実行されるプログラムを格納したコンピュータ可読な記憶媒体である。また、ユーザが蓄積したデータが記憶されている。
【００１２】
表示部１４は、例えばディスプレイであり、制御部１１から入力される指示にしたがって利用者に対して情報を提示する。操作部１５は、例えばキーボード、マウスであり、ユーザの操作内容を制御部１１に出力する。インターフェイス１６は、ネットワークインターフェイスであり、ネットワークを介して入出力する。
【００１３】
情報管理端末２は、クライアント端末１と同様に一般的なコンピュータであり、図３に示すように、制御部２１と、記憶部２２と、ハードディスク２３と、表示部２４と、操作部２５と、インターフェイス２６とを含んで構成される。
【００１４】
ここで、制御部２１は、記憶部２２やハードディスク２３に格納されているプログラムに従って動作しており、アドレス情報取得部２１ａ、初回印刷情報取得部２１ｂ、ドライバ情報取得部２１ｃ、初回印刷通知部２１ｄという四つの機能を有する。制御部２１のアドレス情報取得部２１ａ、初回印刷情報取得部２１ｂ、ドライバ情報取得部２１ｃ、初回印刷通知部２１ｄの具体的な処理の内容については後に説明する。
【００１５】
記憶部２２は、ＲＡＭなどの記憶素子を含んで構成される。制御部２１によって実行されるプログラムをハードディスク２３から読み出して保持する。またこの記憶部２２は、制御部２１が生成する情報を保持するワークメモリとしても動作する。
【００１６】
ハードディスク２３は、制御部２１によって実行されるプログラムを格納したコンピュータ可読な記憶媒体である。
【００１７】
表示部２４、操作部２５はなくてもよく、ここでの詳細な説明は省略する。インターフェイス２６は、ネットワークインターフェイスであり、ネットワークを介して入出力する。
【００１８】
プリンタ３は、図４に示すように、制御部３１と、記憶部３２と、インターフェイス３３と、画像形成部３４を含んで構成される。制御部３１は、記憶部３２に格納されているプログラムに従って動作しており、クライアント端末１から受信した印刷指示に従って印刷処理を実行する。また、制御部３１は、初回印刷判断部３１ａ、処理履歴取得部３１ｂという二つの機能を有する。制御部３１の初回印刷判断部３１ａ、処理履歴取得部３１ｂの具体的な処理の内容については後に説明する。
【００１９】
記憶部３２は、不揮発性メモリやＲＡＭなどのメモリ素子を含んで構成され、制御部３１によって実行されるプログラムを保持している。また、本プリンタ３による初回印刷処理が完了しているか否かを判断するための初回印刷フラグ、を保持している。この初回印刷フラグは、ＯＮであることで初回印刷処理が完了していることを示し、ＯＦＦであることで完了していないことを示す。また、この初回印刷フラグは電源再起動などの初期化行為により、ＯＦＦの状態に切り替わる。
【００２０】
また、記憶部３２は、本プリンタ３を使用して印刷処理を実行したクライアント端末１に関する情報を図５に示すような処理履歴情報として保持する。ここで、処理履歴情報にはクライアント端末名、クライアント端末のメールアドレス、クライアント端末のＩＰアドレスの他、印刷対象のファイル名、印刷実行日時、印刷カラーや両面印刷等の印刷モード、等が含まれてもよい。また、この処理履歴情報には、例えば、印刷実行日時、印刷モード等のように本プリンタ３自身から取得するものもあるし、クライアント端末名、クライアント端末のメールアドレス等のように、クライアント端末１からの印刷指示に含まれる情報から取得するものもある。
【００２１】
さらに、記憶部３２は、本プリンタ３のドライバプログラムとしてのプリンタドライバの所在地に関する情報を、例えばＵＲＬ、ファイルパスとして記憶している。
【００２２】
インターフェイス３３は、ネットワークインターフェイスであり、ネットワークを介して入出力する。画像形成部３４は、一般的な印刷機器に通常用いられるもので足りるため、ここでは説明を省略する。
【００２３】
ここで、情報管理端末２の制御部２１と、プリンタ３の制御部３１の具体的処理の内容について説明する。
【００２４】
制御部３１が、クライアント端末１から印刷指示を受信すると、制御部３１の初回印刷判断部３１ａが、記憶部３２の初回印刷フラグがＯＮであるかＯＦＦであるかを参照して初回印刷が完了しているか否か判断し、その結果に関わらず、印刷処理を実行する。また該印刷処理の実行に伴って、処理履歴取得部３１ｂは、該印刷指示を送信したクライアント端末１のメールアドレスを含む上述の処理履歴情報を取得して記憶部３２に記憶する。
【００２５】
ここまでの処理が正常に完了すると、印刷処理の実行前に初回印刷フラグがＯＦＦであった場合は、初回印刷判断部３１ａが、記憶部３２の初回印刷フラグをＯＮに書き換える。一方印刷処理の実行前に初回印刷フラグがＯＮであった場合は、初回印刷フラグを書き換えずにそのまま処理を終了する。したがってプリンタ３の初回印刷処理が既に完了している場合、該プリンタ３は印刷処理の度に処理履歴情報を記憶して蓄積することができる。
【００２６】
制御部２１の初回印刷情報取得部２１ｂは、ネットワーク上の各プリンタ３を検索して、新規に追加されたプリンタの検出や、各プリンタ３の初回印刷処理が完了したか否かの問い合わせ、を定期的に実行している。制御部２１の初回印刷情報取得部２１ｂが、プリンタ３の初回印刷フラグがＯＦＦからＯＮに書き換えられたことをプリンタ３の初回印刷判断部３１ａからの連絡により検知すると、アドレス情報取得部２１ａが、ネットワーク上の各プリンタ３からそれらのプリンタ３が蓄積している上述の処理履歴情報を取得するとともに、ドライバ情報取得部２１ｃが、当該初回印刷フラグが書き換わったプリンタ３から、該プリンタ３のプリンタドライバの所在地に関する情報を取得する。次に、初回印刷通知部２１ｄが、取得された処理履歴情報に含まれる各クライアント端末１に、当該プリンタ３の初回印刷が完了した旨とプリンタドライバの所在地に関する情報とを連絡する文書を付して電子メールを送信する。電子メールを受信した各クライアント端末１のユーザは、電子メールに従ってプリンタドライバを取得し、各自のクライアント端末１にインストールする。
【００２７】
本実施の形様にかかるシステムは、以上の構成を以って成り、図６乃至図７のように動作する。すなわち、クライアント端末１と情報管理端末２とプリンタ３がネットワーク接続されているシステムにおいて、新規にプリンタ３が追加された場合に、あるユーザが該プリンタ３のプリンタドライバを自身のクライアント端末１にインストールしてテスト印刷を実行すると、該プリンタ３の制御部３１は図６のフローチャートのように印刷指示を受信し（Ｓ００１）、初回印刷判断部３１ａが、該プリンタ３による初回印刷処理が完了しているか否か、つまり記憶部３２に記憶されている初回印刷フラグがＯＮであるか否か、を初回印刷フラグを参照して確認する（Ｓ００２）。初回印刷が完了していない場合（初回印刷フラグがＯＦＦの場合）は、印刷処理を実行するとともに（Ｓ００３）、処理履歴取得部３１ｂが、該印刷処理の実行クライアント端末名、実行クライアント端末のメールアドレス、印刷対象ファイル名、印刷実行日時等の処理履歴情報を取得し（Ｓ００４）、該印刷処理が正常に完了したことを確認する（Ｓ００５）。該印刷処理が正常に完了した場合は、初回印刷判断部３１ａが記憶部３２の初回印刷フラグをＯＦＦからＯＮに書き換える（Ｓ００６）。一方で該印刷処理が正常に完了しなかった場合は、そのまま終了する。
【００２８】
また、Ｓ００２にて該プリンタ３による初回印刷が完了していること、つまり初回印刷フラグがＯＮであること、を初回印刷判断部３１ａが確認した場合は、印刷処理を実行するとともに（Ｓ００７）、処理履歴取得部３１ｂが該印刷処理に係る上述の処理履歴情報を取得して（Ｓ００８）、終了する。
【００２９】
情報管理端末２の制御部２１は、ネットワーク上の各プリンタ３を検索して、新規に追加されたプリンタ３の検出や、各プリンタ３の初回印刷処理が完了したか否か問い合わせを定期的に実行しており、図７のフローチャートのように動作する。まず、制御部２１の初回印刷情報取得部２１ｂが、プリンタ３の初回印刷判断部３１ａからの連絡により、記憶部３２の初回印刷フラグがＯＦＦからＯＮに書き換えられて初回印刷が正常に完了したことを検知する（Ｓ１０１）。すると、ドライバ情報取得部２１ｃが該プリンタ３から該プリンタ３のプリンタドライバの所在地を示すＵＲＬを取得し、アドレス情報取得部２１ａがネットワーク上の各プリンタ３からそれらの保持している上述の処理履歴情報を取得する（Ｓ１０２）。そして、制御部２１の初回印刷通知部２１ｄが、前記ＵＲＬと初回印刷が完了した旨の連絡、とを含む電子メールを作成し（Ｓ１０３）、取得した処理履歴情報に含まれる各クライアント端末１のメールアドレスに送信する（Ｓ１０４）。電子メールを受け取った各クライアント端末１のユーザは、新規にプリンタ３が追加されたことを知り、各自のクライアント端末１に該プリンタ３のプリンタドライバをインストールする。
【００３０】
本実施の形態によれば、システムに新規に追加されたプリンタ３による最初の印刷処理が完了したことを、ネットワーク上の各クライアント端末１に電子メールで自動的に通知することができる。ここにおいて、システムに既存のプリンタ３が保持する上述の処理履歴情報を利用して、印刷完了を通知するクライアント端末１を特定しているため、システム上に既存のプリンタ３を使用したことのあるクライアント端末１だけに通知することができる。よって、システムリソースを効率的に使用することができる。
【００３１】
また、本実施の形態では情報管理端末２を、クライアント端末１とプリンタ３とは別にシステムに設けているが、情報管理端末２が実行する処理をプリンタ３に実行させることにより、省略することができる。つまり、情報管理端末２が有する機能をプリンタ３に追加して、例えば、制御部３１の機能を図８の機能ブロックのように構成することで、情報管理端末２を省略する。
【００３２】
この構成に係るシステムでは、例えば図９のフローチャートのように動作する。すなわち、クライアント端末１とプリンタ３がネットワーク接続されているシステムにおいて、新規にプリンタ３が接続された場合に、あるユーザが該プリンタ３のプリンタドライバを自身のクライアント端末１にインストールしてテスト印刷を実行する。すると、該プリンタ３は印刷指示を受信し（Ｓ２０１）、初回印刷判断部３１Ａが、初回印刷処理が完了しているか否かを記憶部３２の初回印刷フラグがＯＮであるかＯＦＦであるか参照して判断する（Ｓ２０２）。初回印刷が完了していること、つまり初回印刷フラグがＯＮであること、を確認した場合は、印刷処理を実行するとともに（Ｓ２０３）、処理履歴取得部３１Ｂが、該印刷処理に係る上述の処理履歴情報を取得して（Ｓ２０４）、終了する。
【００３３】
また、Ｓ２０２で初回印刷が完了していないと判断された場合、つまり初回印刷フラグがＯＦＦである場合は、印刷処理を実行するとともに（Ｓ２０５）、処理履歴取得部３１Ｂが、該印刷処理に係る上述の処理履歴情報を取得し（Ｓ２０６）、該印刷処理が正常に完了したことを確認する（Ｓ２０７）。ここで、印刷処理が正常に完了しなかった場合は、そのまま処理を終了し、一方で印刷処理が正常に完了した場合は、初回印刷判断部３１Ａが、記憶部３２の初回印刷フラグをＯＦＦからＯＮに書き換える（Ｓ２０８）。
【００３４】
そして、初回印刷情報取得部３１Ｄが、記憶部３２に記憶されている初回印刷フラグを参照してＯＦＦからＯＮに書き換わったことを確認する（Ｓ２０９）。すると、ドライバ情報取得部３１Ｅが、記憶部３２に保持されている該プリンタ３のプリンタドライバの所在地を示すＵＲＬを取得し、アドレス情報取得部３１Ｃが、ネットワーク上の各プリンタ３からそれらが蓄積している上述の処理履歴情報を取得する（Ｓ２１０）。そして、初回印刷通知部３１Ｆが、前記ＵＲＬと該プリンタ３での初回印刷が完了した旨の連絡とを含む電子メールを作成し（Ｓ２１１）、上述の処理履歴情報に含まれる各クライアント端末１のメールアドレスに送信する（Ｓ２１２）。電子メールを受け取った各クライアント端末１のユーザは、新規にプリンタが追加されたことを認識し、各自のクライアント端末１に該プリンタ３のプリンタドライバをインストールする。
【００３５】
このようにすれば、情報管理端末２をシステムに対して別個に設けずに、システムを構成することができる。
【００３６】
また、本発明の実施の別の形態について図面を参照しながら説明する。本発明の実施の形態に係るシステムも、図１に示すように、クライアントコンピュータとしてのクライアント端末１と、情報処理装置としての情報管理端末２と、印刷装置としてのプリンタ３を含んで構成される。本実施形態では、初回印刷処理を実行するユーザが、該印刷処理の完了を通知するクライアント端末１を選択することができる。また、プリンタ３には、該プリンタ３が実行した印刷処理に係る上述の処理履歴を取得する機能は実装されていない。
【００３７】
本実施形態において、クライアント端末１の制御部１１は、プリンタ３に対して印刷指示を送信するだけでなく、初回印刷が正常に完了したことを通知するクライアント端末１を選択して、選択されたクライアント端末１に関する情報をクライアント情報として該印刷指示に含める。クライアント端末１を構成する他各部については前述したので説明を省略する。
【００３８】
情報管理端末２は図３に示す構成からなり、上述の通りなので説明を省略する。
【００３９】
また、プリンタ３についてはここでは図示していないが、制御部３１の機能として初回印刷判断部３１ａのみを有する。その他の記憶部３２、インターフェイス３３、画像形成部３４については前述の通りなので説明を省略する。
【００４０】
ここで、本実施形態について、クライアント端末１と、情報管理端末２と、プリンタ３のそれぞれの制御部１１，２１，３１の具体的処理の内容について説明する。
【００４１】
ユーザがクライアント端末１でプリンタ３に印刷指示をする際に、制御部１１は、例えば図１０に示すようなユーザインターフェイス４１を表示部１４に表示する。アドレスリスト４２には、クライアント端末１が記憶部１２、またはハードディスク１３に記憶しているクライアント端末１のメールアドレスが表示され、ユーザは、追加矢印４３と削除矢印４４をクリックして、アドレスリスト４２から初回印刷が完了したことを通知したいクライアント端末１を選択欄４５に入力する。入力が完了後、ＯＫボタン４６をクリックすると、制御部１１は、選択されたクライアント端末１に関する情報をクライアント情報として印刷指示に含めて、プリンタ３に送信する。
【００４２】
制御部３１が、クライアント端末１から印刷指示を受信すると、制御部３１の初回印刷判断部３１ａが、記憶部３２の初回印刷フラグがＯＮであるかＯＦＦであるか参照して初回印刷が完了しているか否かを判断し、その結果に関わらず、印刷処理を実行する。
【００４３】
ここまでの処理が正常に完了すると、印刷処理の実行前に初回印刷フラグがＯＦＦであった場合は、初回印刷判断部３１ａが、初回印刷フラグをＯＮに書き換える。一方印刷処理の実行前に初回印刷フラグがＯＮであった場合は、初回印刷フラグを切り替えずにそのまま処理を終了する。
【００４４】
制御部２１の初回印刷情報取得部２１ｂは、ネットワーク上の各プリンタ３を検索して、新規に追加されたプリンタ３の検出や、各プリンタ３の初回印刷処理が完了したか否かの問い合わせを定期的に実行している。まず、制御部２１の初回印刷情報取得部２１ｂは、プリンタ３の記憶部３２の初回印刷フラグがＯＦＦからＯＮに書き換えられたことを初回印刷判断部３１ａの連絡により検知する。すると、アドレス情報取得部２１ａが該プリンタ３への印刷指示に含まれていたクライアント情報を、ドライバ情報取得部２１ｃが該プリンタ３のプリンタドライバの所在地に関する情報を、該プリンタ３から取得する。次に、初回印刷通知部２１ｄが、当該プリンタ３の初回印刷が完了した旨とプリンタドライバの所在地に関する情報とを連絡する文書を付した電子メールを作成し、取得されたクライアント情報に含まれるクライアント端末１に送信する。電子メールを受信した各クライアント端末１のユーザは、電子メールに従ってプリンタドライバを取得し、各自のクライアント端末１にインストールする。
【００４５】
本実施の形態に係るシステムは、以上の構成を以って成り、図１１及び図１２のフローチャートのように動作する。すなわち、クライアント端末１と情報管理端末２とプリンタ３がネットワーク接続されているシステムにおいて、新規にプリンタ３が接続された場合に、あるユーザが該プリンタ３のプリンタドライバを自身のクライアント端末１にインストールし、上述のユーザインターフェイス４１において、テスト印刷の完了を通知したいクライアント端末１を選択してテスト印刷を実行する。そして、該プリンタ３の制御部３１は図１１のフローチャートのように、印刷指示を受信すると（Ｓ３０１）、初回印刷判断部３１ａが、該プリンタによる初回印刷処理が完了しているか否か、つまり記憶部３２に記憶されている初回印刷フラグがＯＮであるか否かを初回印刷フラグを参照して確認する（Ｓ３０２）。初回印刷が完了していない場合、つまり初回印刷フラグがＯＦＦである場合は、印刷処理を実行し（Ｓ３０３）、該印刷処理が正常に完了したことを確認する（Ｓ３０４）。該印刷処理が正常に完了した場合は、初回印刷判断部３１ａが記憶部３２の初回印刷フラグをＯＦＦからＯＮに書き換える（Ｓ３０５）。一方で該印刷処理が正常に完了しなかった場合は、そのまま終了する。
【００４６】
また、Ｓ３０２にて該プリンタ３による初回印刷が完了していること、つまり初回印刷フラグがＯＮであること、を初回印刷判断部３１ａが確認した場合は、印刷処理を実行して（Ｓ３０６）、終了する。
【００４７】
情報管理端末２において、制御部２１の初回印刷情報取得部２１ｂは、ネットワーク上の各プリンタ３を検索して、新規に追加されたプリンタ３の検出や各プリンタ３の初回印刷処理が完了したか否かの問い合わせを定期的に実行しており、図１２のフローチャートのように動作する。制御部２１の初回印刷情報取得部２１ｂが、プリンタ３の初回印刷判断部３１ａからの連絡により、記憶部３２の初回印刷フラグがＯＦＦからＯＮに書き換えられて初回印刷が正常に完了したことを検知する（Ｓ４０１）。すると、ドライバ情報取得部２１ｃが該プリンタ３のプリンタドライバの所在地を示すＵＲＬを、アドレス情報取得部２１ａが該プリンタ３への印刷指示に含まれていた上述のクライアント情報を、該プリンタ３から取得する（Ｓ４０２）。そして、制御部３１の初回印刷通知部２１ｄが、前記ＵＲＬと初回印刷が完了した旨の連絡とを含む電子メールを作成し（Ｓ４０３）、取得したクライアント情報に含まれる各クライアント端末１のメールアドレスにこの電子メール送信する（Ｓ４０４）。電子メールを受け取った各クライアント端末１のユーザは、新規にプリンタが追加されたことを認識し、各自のクライアント端末１に該プリンタ３のプリンタドライバをインストールする。
【００４８】
本実施形態によれば、初回印刷が正常に完了したことを通知したいクライアント端末１を印刷実行時に明示的に指定できるので、該プリンタを使用するクライアント端末１のユーザを限定することが可能になり、さらにシステムリソースを効率的に使用することができる。また、本実施形態においても、情報管理端末２の有する機能をプリンタ３に追加することにより、情報管理端末２を省略した構成をとることとしてもよい。
【図面の簡単な説明】
【００４９】
【図１】本発明の実施の形態に係るインストールシステムを示す構成図である。
【図２】インストールシステムを構成するクライアント端末を示す機能ブロック図である。
【図３】インストールシステムを構成する情報管理端末を示す機能ブロック図である。
【図４】インストールシステムを構成するプリンタを示す機能ブロック図である。
【図５】プリンタの処理履歴の保持形態の一例を示すテーブル図である。
【図６】プリンタによる印刷処理の一例を示すフローチャート図である。
【図７】情報管理端末の行う処理の一例を示すフローチャート図である。
【図８】情報管理端末の制御部の一例を示す機能ブロック図である。
【図９】プリンタによる印刷処理の一例を示すフローチャート図である。
【図１０】クライアント端末の表示部に表示されるユーザインターフェイスの一例を示す図である。
【図１１】プリンタによる印刷処理の一例を示すフローチャート図である。
【図１２】情報管理端末の行う処理の一例を示すフローチャート図である。
【符号の説明】
【００５０】
１  クライアント端末、２  情報管理端末、３  プリンタ、１１，２１，３１  制御部、１２，２２，３２  記憶部、１３，２３  ハードディスク、１４，２４  表示部、１５，２５  操作部、１６，２６，３３  インターフェイス、２１ａ，３１Ｃ  アドレス情報取得部、２１ｂ，３１Ｄ  初回印刷情報取得部、２１ｃ，３１Ｅ  ドライバ情報取得部、２１ｄ，３１Ｆ  初回印刷通知部、３１ａ，３１Ａ  初回印刷判断部、３１ｂ，３１Ｂ  処理履歴取得部、３４  画像形成部、４１  ユーザインターフェイス、４２  アドレスリスト、４３  追加矢印、４４  削除矢印、４５  選択欄、４６  ＯＫボタン。
【図１】
2007086937.tif 000003
【図２】
2007086937.tif 000004
【図３】
2007086937.tif 000005
【図４】
2007086937.tif 000006
【図５】
2007086937.tif 000007
【図６】
2007086937.tif 000008
【図７】
2007086937.tif 000009
【図８】
2007086937.tif 000010
【図９】
2007086937.tif 000011
【図１０】
2007086937.tif 000012
【図１１】
2007086937.tif 000013
【図１２】
2007086937.tif 000014